(57)【要約】【課題】弁体シート取付け部分の構造を簡素化でき、取付作業やシート押えの加工を容易にし得るバタフライ弁を提供する。【解決手段】弁体２の周縁部に、弁体シート４を弁体２側へ押圧するシート押え９が複数の取付用ボルト１０を介して取付けられ、取付用ボルト１０は、シート押え９に形成されたボルト孔１２に挿通されるとともに弁体２に形成されたねじ孔１４に締め込まれ、且つ弁体シート４よりも内周側に配置され、弁体シート４の内周側において弁体２とシート押え９との間に形成された隙間１５に、押圧方向Ｐとは逆方向の反発力ｆをシート押え９に作用させる複数の皿ばね３１が設けられ、各取付用ボルト１０が各皿ばね３１に挿通されている。【選択図】　図１
2004044694.tif 000002
【特許請求の範囲】
【請求項１】
弁体の周縁部に円環状の弾性体からなる弁体シートが設けられ、上記弁体を全閉位置まで回転した場合、弁体シートの外周縁が弁箱の内周面に摺接して弁箱内の流路が閉塞されるバタフライ弁であって、
上記弁体の周縁部に、弁体シートを弁体の厚み方向に沿って弁体側へ押圧するシート押えが複数の取付用締結具を介して取付けられ、上記取付用締結具は、弁体の厚み方向を長さ方向として、シート押えに形成された締結孔に挿通されるとともに弁体に連結され、且つ弁体シートよりも内周側に配置され、弁体シートの内周側において弁体とシート押えとの間に形成された隙間に、押圧方向とは逆方向の反発力をシート押えに作用させる弾性部材が設けられていることを特徴とするバタフライ弁。
【発明の詳細な説明】
【０００１】
【発明の属する技術分野】
本発明は、弁体の周縁部にゴム等の弾性体からなる弁体シートを設けたバタフライ弁に関する。
【０００２】
【従来の技術】
従来、例えば、図４〜図６に示すように、弁棒１の位置を弁体２のシール面からずらした偏心式バタフライ弁３等においては、弁体２の周縁部に円環状のゴム製の弁体シート４が設けられ、弁箱５の内周面に凸状の弁座６が全周にわたり形成され、弁体２を全閉位置Ｓまで回転した場合、弁体シート４の外周縁が弁座６の内周面に摺接して弁箱５内の流路が閉塞されるものがある。
【０００３】
上記弁体シート４の取付構造を以下に説明する。
すなわち、弁体２の周縁部には、段部７と、この段部７の内周側に位置する凹部８とが全周にわたり形成されている。また、弁体２の周縁部には、弁体シート４を弁体２の厚み方向に沿って弁体２側へ押圧する円環状のシート押え９が複数の取付用ボルト１０を介して取付けられている。上記シート押え９の弁体２に対向する面には、凹部１１が全周にわたり形成されている。また、シート押え９には、上記弁体２に対向する面とその反対側の面とに貫通するボルト孔１２が複数形成されている。
【０００４】
上記弁体シート４の内周部には、弁体２の厚み方向に突出する一対の凸部１３ａ，１３ｂが全周にわたり形成され、一方の凸部１３ａが弁体２の凹部８に嵌め込まれるとともに、他方の凸部１３ｂがシート押え９の凹部１１に嵌め込まれて、弁体シート４が弁体２とシート押え９との間に挟まれる。
【０００５】
上記各取付用ボルト１０は、弁体２の厚み方向を長さ方向として上記各ボルト孔１２に挿通されるとともに、弁体２に形成されたねじ孔１４に締結され、且つ、弁体シート４よりも内周側に配置されている。
【０００６】
これによると、上記弁体シート４を弁体２に取付ける場合、弁体シート４の一方の凸部１３ａを弁体２の凹部８に嵌め込んで、弁体シート４を段部７にセットし、その後、シート押え９を弁体２に対向させて、弁体シート４の他方の凸部１３ｂをシート押え９の凹部１１に嵌め込む。そして、各取付用ボルト１０をボルト孔１２に挿通してねじ孔１４に締め込む。これにより、シート押え９が弁体２に向かって移動（接近）して弁体シート４を弁体２側へ押圧する。この際、上記取付用ボルト１０の締め込み量に応じて、弁体シート４は弁体２とシート押え９とに挟まれて圧縮され、弁体シート４の外周縁が弁体２とシート押え９との間から外方へ突出する。
【０００７】
この際、図７に示すように、弁体シート４の外周縁の出代Ａは上記各取付用ボルト１０の締め込み加減により所定の値に調節される。尚、上記のようにして弁体シート４を弁体２に取付けた際、図６の実線で示すように、弁体シート４の内周側において、弁体２とシート押え９との間には隙間１５が形成されている。
【０００８】
そして、上記弁体２を全閉位置Ｓまで回転した場合、弁体２の外周縁から外方へ突出した弁体シート４の外周縁が弁座６の内周面に摺接し、弁箱５内の流路が閉塞される。
【０００９】
この際、図６に示すように、弁体シート４は弁座６によって内周側へ圧縮されるため、厚み方向へ拡大しようとする力Ｆが増大し、この力Ｆと上記隙間１５の存在とによって図６の仮想線で示すようにシート押え９が内周側に僅かに傾いて外周側が浮き上がり、これにより、弁体２の外周縁とシート押え９の外周縁との間隔が、当初、弁体シート４を取付けた時よりも拡大してしまうといった不具合が生じた。このような不具合により、弁体シート４の外周縁の出代Ａが、当初、弁体シート４を取付けた時に調整した所定の値よりも減少し、したがって、全閉位置Ｓにおけるシール性が低下するといった問題があった。
【００１０】
このような問題を解決する対策として、図５，図８に示すように、シート押え９に複数の棒状の調整用ボルト２０を付け加えている。すなわち、各調整用ボルト２０は、取付用ボルト１０と同一円周上に配置されて弁体シート４よりも内周側に位置し、シート押え９に形成された調整用ねじ孔２１にねじ込まれ、緩み止め用ナット２２によって固定されている。尚、上記各調整用ねじ孔２１はシート押え９の弁体２に対向する面とその反対側の面とに貫通している。
【００１１】
これによると、図６の実線で示すように上記のように弁体シート４を弁体２に取付け、図７に示すように弁体シート４の出代Ａを所定の値に調節した後、図８に示すように、上記各調整用ボルト２０を調整用ねじ孔２１にねじ込み、各調整用ボルト２０の一端を弁体２に当接させる。その後、各調整用ボルト２０の他端に緩み止め用ナット２２を締め込んで、調整用ボルト２０の緩み止めを行う。
【００１２】
そして、弁体２を全閉位置Ｓまで回転した場合、弁体２の外周縁から外方へ突出した弁体シート４の外周縁が弁座６の内周面に摺接し、弁箱５内の流路が閉塞される。
【００１３】
この際、弁体シート４は弁座６によって内周側へ圧縮されるため、厚み方向へ拡大しようとする力Ｆが増大するが、上記各調整用ボルト２０の一端が弁体２に当接しているため、シート押え９は、各調整用ボルト２０によって固定され、図６の仮想線で示すように、内周側に傾くのを阻止される。これにより、図８に示すように、弁体２の外周縁とシート押え９の外周縁との間隔が、当初、弁体シート４を取付けた時の間隔に維持され、したがって、弁体シート４の外周縁の出代Ａが、当初、弁体シート４を取付けた時に調整した所定の値に正確に維持される。これにより、全閉位置Ｓにおけるシール性が低下することなく良好に保たれる。
【００１４】
【発明が解決しようとする課題】
しかしながら上記の従来形式では、図５，図８に示すように、複数の調整用ボルト２０と緩み止め用ナット２２とを付加した場合、構造が複雑になり、取付作業に手間がかかるといった問題がある。さらに、シート押え９に複数の調整用ねじ孔２１を形成する必要があるため、シート押え９の加工に手間がかかるといった問題もある。
【００１５】
本発明は、弁体シート取付け部分の構造を簡素化でき、取付作業やシート押えの加工を容易にし得るバタフライ弁を提供することを目的とする。
【００１６】
【課題を解決するための手段】
上記目的を達成するために本発明は、弁体の周縁部に円環状の弾性体からなる弁体シートが設けられ、上記弁体を全閉位置まで回転した場合、弁体シートの外周縁が弁箱の内周面に摺接して弁箱内の流路が閉塞されるバタフライ弁であって、上記弁体の周縁部に、弁体シートを弁体の厚み方向に沿って弁体側へ押圧するシート押えが複数の取付用締結具を介して取付けられ、上記取付用締結具は、弁体の厚み方向を長さ方向として、シート押えに形成された締結孔に挿通されるとともに弁体に連結され、且つ弁体シートよりも内周側に配置され、弁体シートの内周側において弁体とシート押えとの間に形成された隙間に、押圧方向とは逆方向の反発力をシート押えに作用させる弾性部材が設けられているものである。
【００１７】
これによると、弁体シートを弁体に取付ける場合、取付用締結具を締め込むことにより、シート押えが弁体に向かって移動（接近）して弁体シートを弁体側へ押圧し、以って、弁体シートが弁体に取付けられる。この際、上記取付用締結具の締め込み量に応じて、弁体シートは弁体とシート押えとに挟まれて圧縮され、弁体シートの外周縁が弁体とシート押えとの間から外方へ突出する。この時、弁体シートの外周縁の出代は上記各取付用締結具の締め込み加減により所定の値に調節される。
【００１８】
その後、弁体を全閉位置まで回転した場合、弁体の外周縁から外方へ突出した弁体シートの外周縁が弁箱の内周面に摺接し、弁箱内の流路が閉塞される。
この際、弁体シートは弁箱の内周面によって内周側へ圧縮されるため、厚み方向へ拡大しようとする力が増大するが、弾性部材によって押圧方向とは逆方向の反発力がシート押えに作用しているので、シート押えは上記反発力によって内周側に傾くのを阻止される。これにより、弁体の外周縁とシート押えの外周縁との間隔が、当初、弁体シートを取付けた時の間隔に維持され、したがって、弁体シートの外周縁の出代が、当初、弁体シートを取付けた時に調整した所定の値に正確に維持される。したがって、全閉位置におけるシール性が低下することなく良好に保たれる。
【００１９】
上記のように弾性部材を設けることによって、従来の調整用ボルトと緩み止め用ナットとを用いることなく、全閉位置におけるシール性を良好に確保することができるため、上記調整用ボルトと緩み止め用ナットとが不要になる分、構造が簡素化され、弁体シートの取付作業が容易に行える。また、従来のようにシート押えに複数の調整用ねじ孔を形成する必要は無いため、シート押えの加工も容易に行える。
【００２０】
【発明の実施の形態】
以下、本発明における実施の形態を図１，図２に基づいて説明する。尚、先に述べた従来のものと同一の部材については同じ符号を付記して説明を省略する。
【００２１】
弁体シート４の内周側において弁体２とシート押え９との間に形成された隙間１５内には、押圧方向Ｐとは逆方向の反発力ｆをシート押え９に作用させる複数の円環状の皿ばね３１（弾性部材の一例）が設けられている。各取付用ボルト１０（取付用締結具の一例）は、シート押え９に形成された各ボルト孔１２（締結孔の一例）と上記各皿ばね３１とに挿通され、弁体２に形成された各ねじ孔１４に締め込まれている。
【００２２】
以下、上記構成における作用を説明する。
弁体シート４を弁体２に取付ける場合、取付用ボルト１０を締め込むことにより、シート押え９が弁体２に向かって移動（接近）して弁体シート４を弁体２側へ押圧し、以って、弁体シート４が弁体２に取付けられる。この際、上記取付用ボルト１０の締め込み量に応じて、弁体シート４は弁体２とシート押え９とに挟まれて圧縮され、弁体シート４の外周縁が弁体２とシート押え９との間から外方へ突出する。この時、図７に示すように、弁体シート４の外周縁の出代Ａは上記各取付用ボルト１０の締め込み加減により所定の値に調節される。
【００２３】
その後、図１に示すように、弁体２を全閉位置Ｓまで回転した場合、弁体２の外周縁から外方へ突出した弁体シート４の外周縁が弁座６の内周面に摺接し、弁箱５内の流路が閉塞される。
【００２４】
この際、弁体シート４は弁座６の内周面によって内周側へ圧縮されるため、厚み方向へ拡大しようとする力Ｆが増大するが、各皿ばね３１によって押圧方向Ｐとは逆方向の反発力ｆがシート押え９に作用しているので、シート押え９は上記反発力ｆによって内周側に傾くのを阻止される。これにより、弁体２の外周縁とシート押え９の外周縁との間隔が、当初、弁体シート４を取付けた時の間隔に維持され、したがって、弁体シート４の外周縁の出代Ａが、当初、弁体シート４を取付けた時に調整した所定の値に正確に維持される。これにより、全閉位置Ｓにおけるシール性が低下することなく良好に保たれる。
【００２５】
上記のように取付用ボルト１０と同数の皿ばね３１を設けることによって、従来の調整用ボルト２０（図８参照）と緩み止め用ナット２２（図８参照）とを用いることなく、全閉位置Ｓにおけるシール性を良好に確保することができるため、上記調整用ボルト２０と緩み止め用ナット２２とが不要になる分、構造が簡素化され、弁体シート４の取付作業が容易に行える。また、従来のようにシート押え９に複数の調整用ねじ孔２１を形成する必要は無いため、シート押え９の加工も容易に行える。
【００２６】
上記実施の形態では取付用締結具の一例として、図１に示すように六角ボルトである取付用ボルト１０を用いたが、他の例として、例えば図３に示すように、複数の棒状の取付用ボルト３５を弁体２に一体的に立設し、これら取付用ボルト３５に取付用ナット３６を締め込むものであってもよい。
【００２７】
上記各実施の形態では、弾性部材の一例として皿ばね３１を用いたが、板ばねやゴムシート等を用いてもよい。
上記各実施の形態では、偏心式のバタフライ弁３を挙げたが、弁棒１と弁体２のシール面とが同位置にある同心式バタフライ弁であってもよい。この場合、弁体シート４とシート押え９とはそれぞれ、弁棒１の部分において分割された半割り（２つ割り）構造となる。
【００２８】
【発明の効果】
以上のように本発明によると、弁体シートを弁体に取付けた後、弁体を全閉位置まで回転した場合、弁体の外周縁から外方へ突出した弁体シートの外周縁が弁箱の内周面に摺接し、弁箱内の流路が閉塞される。
【００２９】
この際、弁体シートは弁箱の内周面によって内周側へ圧縮されるため、厚み方向へ拡大しようとする力が増大するが、弾性部材によって押圧方向とは逆方向の反発力がシート押えに作用しているので、シート押えは上記反発力によって内周側に傾くのを阻止される。これにより、弁体の外周縁とシート押えの外周縁との間隔が、当初、弁体シートを取付けた時の間隔に維持され、したがって、弁体シートの外周縁の出代が、当初、弁体シートを取付けた時に調整した所定の値に正確に維持される。したがって、全閉位置におけるシール性が低下することなく良好に保たれる。
【００３０】
上記のように弾性部材を設けることによって、従来の調整用ボルトと緩み止め用ナットとを用いることなく、全閉位置におけるシール性を良好に確保することができるため、上記調整用ボルトと緩み止め用ナットとが不要になる分、構造が簡素化され、弁体シートの取付作業が容易に行える。また、従来のようにシート押えに複数の調整用ねじ孔を形成する必要は無いため、シート押えの加工も容易に行える。
【図面の簡単な説明】
【図１】本発明の実施の形態におけるバタフライ弁の弁体シート取付け部分の拡大図である。
【図２】同、バタフライ弁の正面図である。
【図３】本発明の他の実施の形態におけるバタフライ弁の弁体シート取付け部分の拡大図である。
【図４】従来のバタフライ弁を弁棒の軸心方向から見た図である。
【図５】同、バタフライ弁の正面図である。
【図６】同、バタフライ弁の弁体シート取付け部分の拡大図である。
【図７】同、バタフライ弁の弁体シートの出代を示す図である。
【図８】同、バタフライ弁の弁体シート取付け部分の拡大図である。
【符号の説明】
２　　弁体
３　　バタフライ弁
４　　弁体シート
５　　弁箱
９　　シート押え
１０　　取付用ボルト（取付用締結具）
１２　　ボルト孔（締結孔）
１５　　隙間
３１　　皿ばね（弾性部材）
３５　　取付用ボルト（取付用締結具）
３６　　取付用ナット（取付用締結具）
Ｓ　　全閉位置
Ｐ　　押圧方向
ｆ　　反発力
【図１】
2004044694.tif 000003
【図２】
2004044694.tif 000004
【図３】
2004044694.tif 000005
【図４】
2004044694.tif 000006
【図５】
2004044694.tif 000007
【図６】
2004044694.tif 000008
【図７】
2004044694.tif 000009
【図８】
2004044694.tif 000010